(57)【要約】【課題】ユーザ認証印刷モードをより手軽に利用できるようにした印刷システムを提供すること目的とする。【解決手段】画像形成装置とホスト装置からなり、前記ホスト装置は、印刷時にユーザ認証印刷モードが選択されると、ユーザＩＤとパスワードからなる認証情報と印刷データを前記画像形成装置へ送信し、前記画像形成装置は、ユーザ認証印刷モードが指定された印刷ジョブについては、前記ホスト装置から受信した認証情報を参照した認証動作を行い、当該認証の結果に応じて前記受信した印刷データの印刷動作を行う印刷システムであって、前記ホスト装置は、印刷時にユーザ認証印刷モードが選択された時点で、ユーザＩＤが入力されていない場合には、自端末のオペレーティングシステムのサービスより、ユーザがホスト装置またはネットワークドメインにログインした際のログインＩＤを取得し、前記ユーザＩＤの入力情報として用いるようにした。【選択図】        図４
2007109211.tif 000002
【特許請求の範囲】
【請求項１】
画像形成装置とホスト装置からなり、前記ホスト装置は、印刷時にユーザ認証印刷モードが選択されると、ユーザＩＤとパスワードからなる認証情報と印刷データを前記画像形成装置へ送信し、前記画像形成装置は、ユーザ認証印刷モードが指定された印刷ジョブについては、前記ホスト装置から受信した認証情報を参照した認証動作を行い、当該認証の結果に応じて前記受信した印刷データの印刷動作を行う印刷システムであって、
前記ホスト装置は、印刷時にユーザ認証印刷モードが選択された時点で、ユーザＩＤが入力されていない場合には、自端末のオペレーティングシステムのサービスより、ユーザがホスト装置またはネットワークドメインにログインした際のログインＩＤを取得し、前記ユーザＩＤの入力情報として用いることを特徴とする印刷システム。
【請求項２】
前記ホスト装置は、印刷時にユーザ認証印刷モードが選択された時点で、パスワードが入力されていない場合には、自端末のオペレーティングシステムのサービスより、ユーザがホスト装置またはネットワークドメインにログインした際のパスワードを取得し、前記パスワードの入力情報として用いることを特徴とする請求項１記載の印刷システム。
【請求項３】
自端末のオペレーティングシステムより取得したログインＩＤの入力が変更された場合には、前記自端末のオペレーティングシステムより取得したパスワードを消去することを特徴とする請求項２記載の印刷システム。
【請求項４】
自端末のオペレーティングシステムのサービスより取得した、前記ユーザＩＤおよびパスワードは、変更不可に設定されることを特徴とする請求項２記載の印刷システム。
【発明の詳細な説明】
【技術分野】
【０００１】
本発明は、画像形成装置とホスト装置からなり、前記ホスト装置は、印刷時にユーザ認証印刷モードが選択されると、ユーザＩＤとパスワードからなる認証情報と印刷データを前記画像形成装置へ送信し、前記画像形成装置は、ユーザ認証印刷モードが指定された印刷ジョブについては、前記ホスト装置から受信した認証情報を参照した認証動作を行い、当該認証の結果に応じて前記受信した印刷データの印刷動作を行う印刷システムに関する。
【背景技術】
【０００２】
従来、セキュリティ向上のため、オペレーティングシステムの起動やネットワークへの接続のためにユーザＩＤとパスワードで認証を行うことは一般的となっている。
【０００３】
一方、印刷機能においてもプリンタドライバなどからユーザＩＤなどのユーザ認証情報を印刷データに付加し、画像形成装置に印刷を実行できるユーザを特定できるユーザ認証印刷機能を持つプリントシステムがあり、そのようなプリントシステムプリントシステムでは、印刷を開始する際に印刷データに付加するユーザ認証情報と、印刷データが画像形成装置へ送られた後に印刷を実行させるために画像形成装置に入力するユーザ認証情報が一致すれば印刷を完了できる（特許文献１参照）。
【特許文献１】特開平１１−３０１０５８号公報
【発明の開示】
【発明が解決しようとする課題】
【０００４】
しかしながら、このような従来装置では、ユーザは印刷の度に、認証のために自由にユーザＩＤ、パスワードを指定できるが、毎回指定しなければならない煩わしさも伴った。
【０００５】
また、画像形成装置では印刷履歴にユーザＩＤの情報を残せるが、実際には一人のユーザが複数のユーザＩＤを使用することができるので、同一ユーザが利用した場合であっても複数のユーザーが印刷したように履歴が残る。
【０００６】
本発明は、かかる実情に鑑みてなされたものであり、ユーザ認証印刷モードをより手軽に利用できるようにした印刷システムを提供すること目的とする。
【課題を解決するための手段】
【０００７】
本発明は、画像形成装置とホスト装置からなり、前記ホスト装置は、印刷時にユーザ認証印刷モードが選択されると、ユーザＩＤとパスワードからなる認証情報と印刷データを前記画像形成装置へ送信し、前記画像形成装置は、ユーザ認証印刷モードが指定された印刷ジョブについては、前記ホスト装置から受信した認証情報を参照した認証動作を行い、当該認証の結果に応じて前記受信した印刷データの印刷動作を行う印刷システムであって、前記ホスト装置は、印刷時にユーザ認証印刷モードが選択された時点で、ユーザＩＤが入力されていない場合には、自端末のオペレーティングシステムのサービスより、ユーザがホスト装置またはネットワークドメインにログインした際のログインＩＤを取得し、前記ユーザＩＤの入力情報として用いるようにしたものである。
【０００８】
また、前記ホスト装置は、印刷時にユーザ認証印刷モードが選択された時点で、パスワードが入力されていない場合には、自端末のオペレーティングシステムのサービスより、ユーザがホスト装置またはネットワークドメインにログインした際のパスワードを取得し、前記パスワードの入力情報として用いるようにしたものである。
【０００９】
また、自端末のオペレーティングシステムより取得したログインＩＤの入力が変更された場合には、前記自端末のオペレーティングシステムより取得したパスワードを消去するようにしたものである。
【００１０】
また、自端末のオペレーティングシステムのサービスより取得した、前記ユーザＩＤおよびパスワードは、変更不可に設定されるようにしたものである。
【発明の効果】
【００１１】
したがって、本発明によれば、ログインＩＤを取得してユーザＩＤ入力欄に自動的に入力するので、ユーザ認証印刷モードを利用する際のユーザの手間を大幅に軽減することができるという効果を得る。
【発明を実施するための最良の形態】
【００１２】
以下、添付図面を参照しながら、本発明の実施の形態を詳細に説明する。
【００１３】
図１は、本発明の一実施例にかかる印刷システムを示している。
【００１４】
同図において、ローカルエリアネットワークＬＡＮには、複数のパーソナルコンピュータ装置ＰＣ１〜ＰＣｎ、および、ネットワークプリンタ装置ＦＸが接続されている。
【００１５】
ネットワークプリンタ装置ＦＸは、パーソナルコンピュータ装置ＰＣ１〜ＰＣｎに対して、ローカルエリアネットワークＬＡＮを介したネットワークプリント機能を提供するものであり、また、パーソナルコンピュータ装置ＰＣ１〜ＰＣｎには、そのネットワークプリンタ機能を利用するための印刷用のソフトウェア、例えば、プリンタドライバが実装されている。
【００１６】
また、パーソナルコンピュータ装置ＰＣ１〜ＰＣｎには、基本システムとしていわゆるオペレーティングシステムが実装されており、プリンタドライバ等は、このオペレーティングシステムの管理化で実行される。
【００１７】
また、オペレーティングシステムは、パーソナルコンピュータ装置ＰＣ１〜ＰＣｎを利用するユーザを制限するためのログイン認証（ユーザ認証）、および、ローカルエリアネットワークＬＡＮを利用するユーザを制限するためのネットワークドメインへのログイン認証（ユーザ認証）を行う。それぞれのログイン認証のための認証情報は、ユーザＩＤとパスワードの組からなり、オペレーティングシステム内に保持されている。
【００１８】
図２は、ネットワークプリンタ装置ＦＸの構成の一例を示している。
【００１９】
同図において、システム制御部１は、このネットワークプリンタ装置ＦＸの各部の動作制御、給紙制御、印刷制御、外部通信ユニットを介して行う外部装置との間の通信制御、および、ユーザがこのネットワークプリンタ装置ＦＸを操作する際の種々のユーザ・インタフェース処理等の種々のデータ処理を行うためのものであり、システムメモリ２は、システム制御部１が実行する種々の制御プログラムを記憶するとともに、システム制御部１のワークエリアを構成するものであり、パラメータメモリ３は、このネットワークプリンタ装置ＦＸに固有な種々の情報を記憶するためのものであり、時計回路４は、現在時刻情報等を出力するためのものであり、操作表示部５は、ユーザがこのネットワークプリンタ装置ＦＸを操作するためのユーザ・インタフェースを構成するものである。
【００２０】
ページバッファメモリ６は、１ページ分の印刷データを保存するフレームメモリを構成するためのものであり、プリントユニット７は、ページバッファメモリ６に構成されたフレームメモリから印刷データを読み出して、用紙に画像を印刷するためのものである。また、プリントユニット７には、用紙を収容したトレイを複数備えた多段給紙ユニット８が付設されており、これにより、複数種類の用紙から適宜なものを選択して、プリントユニット７が使用する記録用紙として適用することができる。ここで、トレイに収容される用紙としては、Ａ４縦長、Ａ４横長、Ｂ５縦長、Ｂ５横長、Ａ３縦長などがある。
【００２１】
ローカルエリアネットワークインターフェース回路９は、このネットワークファクシミリ装置ＦＸをローカルエリアネットワークＬＡＮに接続するためのものであり、ローカルエリアネットワーク伝送制御部１０は、ローカルエリアネットワークＬＡＮを介して、他のデータ端末装置との間で種々のデータをやりとりするための各種所定のプロトコルスイートの通信制御処理を実行するためのものである。
【００２２】
磁気ディスク装置１１は、多数の印刷データなどを蓄積するためのものであり、この磁気ディスク装置１１を利用して、例えば、ユーザ別に印刷ジョブデータなどを保存するドキュメントボックス機能などの機能を実現することができる。
【００２３】
これらのシステム制御部１、システムメモリ２、パラメータメモリ３、時計回路４、操作表示部５、ページバッファメモリ６、プリントユニット７、多段給紙ユニット８、ローカルエリアネットワーク伝送制御部１０、および、磁気ディスク装置１１は、内部バス１２に接続され、これらの各部のデータのやりとりは、主としてこの内部バス１２を介して行われる。
【００２４】
図３は、パーソナルコンピュータ装置ＰＣ（ＰＣ１〜ＰＣｎ）の構成例を示している。
【００２５】
同図において、ＣＰＵ（中央処理装置）２１は、このパーソナルコンピュータ装置ＰＣの動作制御を行うものであり、ＲＯＭ（リード・オンリ・メモリ）２２は、ＣＰＵ２１が起動時に実行するプログラムや必要なデータ等を記憶するためのものであり、ＲＡＭ（ランダム・アクセス・メモリ）２３は、ＣＰＵ２１のワークエリア等を構成するためのものである。
【００２６】
キャラクタジェネレータ２４は、図形文字の表示データを発生するためのものであり、時計回路２５は、現在日時情報を出力するためのものであり、ローカルエリアネットワークインターフェース回路２６は、このパーソナルコンピュータ装置ＰＣをローカルエリアネットワークＬＡＮに接続するためのものであり、ローカルエリアネットワーク伝送制御部２７は、ローカルエリアネットワークＬＡＮを介して、他のデータ端末装置との間で種々のデータをやりとりするための各種所定のプロトコルスイートの通信制御処理を実行するためのものである。
【００２７】
磁気ディスク装置２８は、種々のアプリケーションプログラム、ワークデータ、ファイルデータ、画情報データなどの種々のデータを記憶するためのものであり、ＣＤ−ＲＯＭ装置２９は、交換可能な記録媒体であるＣＤ−ＲＯＭ３０のデータを読み込むためのものであり、ＣＲＴ画面表示装置３１は、このパーソナルコンピュータ装置ＰＣを操作するための画面を表示するためのものであり、表示制御部３２は、ＣＲＴ画面表示装置３１の表示内容を制御するためのものである。
【００２８】
キーボード装置３３は、このパーソナルコンピュータ装置ＰＣに種々のキー操作を行うためのものであり、画面指示装置３４は、ＣＲＴ画面表示装置３１の任意の点を指示する等の操作作業を行うためのものであり、入力制御部３５は、キーボード装置３３および画面指示装置３５の入力情報を取り込む等するためのものである。
【００２９】
これらのＣＰＵ２１、ＲＯＭ２２、ＲＡＭ２３、キャラクタジェネレータ２４、時計回路２５、ローカルエリアネット伝送制御部２７、磁気ディスク装置２８、ＣＤ−ＲＯＭ装置２９、表示制御部３２、および、入力制御部３５は、内部バス３６に接続されており、これらの各要素間のデータのやりとりは、主としてこの内部バス３５を介して行われる。
【００３０】
図４は、パーソナルコンピュータ装置ＰＣ（ＰＣ１〜ＰＣｎ）における印刷制御系の構成例を示している。同図では、印刷ポート（物理的な接続口）としてＵＳＢポート、パラレルポート、および、ネットワークポートの３つを備えた場合について示している。
【００３１】
印刷機能を有するアプリケーションＡＰ（例えば、文書作成アプリケーションなど）は、オペレーティングシステムＯＳに実装されているプリントシステムＰＳを利用して、いずれかの印刷ポートに接続されているプリンタに対して、印刷ジョブを送信する。
【００３２】
プリントシステムＰＳにおいて、ドライバ選択ユーザ・インタフェース（ＵＩ）部ＳＵは、プリンタドライバの表示画面において、どの印刷ポートのドライバを使用するかをユーザに選択させるためのものであり、それにより、ＵＳＢポートのドライバユーザ・インタフェースＤＵ１、パラレルポートのドライバユーザ・インタフェースＤＵ２、および、ネットワークポートのドライバユーザ・インタフェースＤＵ３のいずれかが選択され、アプリケーションＡＰから印刷要求を受信するとともに、印刷条件設定をアプリケーションＡＰに対して送信する。
【００３３】
また、ドライバＤＶ１は、ＵＳＢポートを利用する際の印刷データの処理を行うためのプリンタドライバであり、ポートモニタＰＭ１は、ＵＳＢポートに接続されているプリンタ（図示略）との間でデータを送受信するとともに、プリンタの接続状況等を監視するためのものである。
【００３４】
また、ドライバＤＶ２は、パラレルポートを利用する際の印刷データの処理を行うためのプリンタドライバであり、ポートモニタＰＭ２は、パラレルポートに接続されているプリンタ（図示略）との間でデータを送受信するとともに、プリンタの接続状況等を監視するためのものである。
【００３５】
また、ドライバＤＶ３は、ネットワークポートを利用する際の印刷データの処理を行うためのプリンタドライバ（ネットワーク対応プリンタドライバ）であり、ポートモニタＰＭ３は、ネットワークポートに接続されているネットワークプリンタ装置ＦＸとの間でデータを送受信するとともに、ネットワークプリンタ装置ＦＸの接続状況等を監視するためのものである。
【００３６】
また、ユーザログイン管理部ＬＣは、ドライバユーザ・インタフェースＤＵ１，ＤＵ２，ＤＵ３からログインＩＤとパスワードの取得が要求されると、あらかじめ複数のユーザのユーザ情報を記憶しているユーザデータデータベースＵＤから、要求されたログインＩＤとパスワードを取得して、対応するドライバユーザ・インタフェースＤＵ１，ＤＵ２，ＤＵ３へログインＩＤとパスワードを送信する。
【００３７】
また、ドライバユーザ・インタフェースＤＵ１，ＤＵ２，ＤＵ３は、取得したログインＩＤとパスワードを認証データ保存部ＮＤに保存する。そして、それ以降、現在ログイン中のユーザについて、ログインＩＤとパスワードを参照する必要が生じた場合、認証データ保存部ＮＤに保存したログインＩＤとパスワードを取り出すようにしている。
【００３８】
ここで、ユーザ情報の一例を図５に示す。
【００３９】
このユーザ情報は、おのおののログインユーザについて作成されるものであり、当該ユーザの氏名、当該ユーザの所属、当該ユーザに設定されているログインＩＤ、当該ユーザに登録されているパスワード、当該ユーザに設定されているメールアドレス、当該ユーザに設定されているアクセス権（例えば、「一般ユーザ」、「管理者ユーザ」など）などが含まれる。
【００４０】
図６は、ネットワークプリンタ装置ＦＸのプリンタアプリケーションの概略構成を示している。
【００４１】
このプリンタアプリケーションＰＰは、ローカルエリアネットワークＬＡＮを介して印刷ジョブのデータを入力するための印刷データ入力部ＤＩ、印刷データ入力部ＤＩを介して入力された印刷ジョブが後述するユーザ認証印刷モードであるか、通常の印刷ジョブであるかを判別するための印刷ジョブ判別部ＪＢ、ユーザ認証印刷モードの印刷ジョブを処理するための認証印刷処理部ＳＪ、通常の印刷ジョブ、および、ユーザ認証印刷モードの行ける印刷処理を実行するための印刷処理部ＮＪ、および、操作表示部５へのユーザインタフェース処理を行うためのパネル操作部ＰＫを含む。
【００４２】
また、認証印刷処理部ＳＪは、磁気ディスク装置１１に設けられる認証印刷データ保存部ＤＸに、ユーザ認証印刷モードの印刷ジョブデータを保存する。ここで、認証印刷データ保存部ＤＸは、ドキュメントボックスの機能を利用して形成される。
【００４３】
印刷ジョブデータの記述例を図７に示す。
【００４４】
１行目は印刷ジョブの開始をあらわすものであり、２行目はジョブ名を指定するものであり、３行目は印刷部数を指定するものであり、４行目は両面印刷の有無（この場合は無し（＝ＯＦＦ））を指定するものであり、５行目はステープル処理の有無（この場合は無し（＝ＯＦＦ））を指定するものであり、６行目はパンチ処理の有無（この場合は無し（＝ＯＦＦ））を指定するものである。
【００４５】
また、７行目はユーザ認証印刷モードを指定するものであり、８行目はユーザＩＤを通知するためのものであり、９行目はパスワードを通知するためのものである。なお、これ以降には、印刷データが続く。
【００４６】
したがって、印刷ジョブ判別部ＪＢは、「＠ＰＪＬ  ＳＪＯＢ」という行を見つけると、当該印刷ジョブデータはユーザ認証印刷モードのものであると判別し、それ以外の場合は、通常の印刷ジョブであると判断する。
【００４７】
また、印刷ジョブデータに含まれるユーザＩＤとパスワードは、印刷データとともに認証印刷データ保存部ＤＸに保存され、ユーザ認証のために使用される。
【００４８】
さて、本実施例では、ユーザ認証印刷モードを設定することができる。このユーザ認証印刷モードでは、パーソナルコンピュータ装置ＰＣ１〜ＰＣｎは、ユーザ認証情報と印刷データをローカルエリアネットワークＬＡＮを介してネットワークプリンタ装置ＦＸへ送信する。
【００４９】
ネットワークプリンタ装置ＦＸは、ユーザ認証印刷モードの印刷ジョブを受信すると、いずれかのドキュメントボックスへ当該印刷ジョブを保存する。例えば、ドキュメントボックス００１へ、受信したユーザ認証情報と印刷データを保存する。
【００５０】
この印刷を指示したユーザは、ネットワークプリンタ装置ＦＸへと赴き、操作表示部５を操作して、ドキュメントボックス００１を呼び出し、印刷ジョブの実行、あるいは、削除を指令することができる。
【００５１】
このとき、ネットワークプリンタ装置ＦＸは、呼び出されたドキュメントボックス００１に保存されている印刷ジョブがユーザ認証印刷モードであるので、操作表示部８にユーザ認証情報、この場合は、例えば、ユーザＩＤとパスワードを入力要求するガイダンスを表示する。
【００５２】
ユーザは、表示されたガイダンスに従って、ユーザＩＤとパスワードを入力する。
【００５３】
このユーザのユーザＩＤとパスワードの入力が終了すると、ネットワークプリンタ装置ＦＸは、ドキュメントボックス００１に保存されているユーザ認証情報（ユーザＩＤとパスワード）を取得し、入力された内容と照合して、一致するかどうかを調べる。
【００５４】
一致した場合には、ユーザ認証を通過したこととなり、ドキュメントボックス００１に保存された印刷データを印刷したり、あるいは、ドキュメントボックス００１に保存された印刷データを削除する。
【００５５】
ユーザ認証印刷モードでは、以上のような動作となる。
【００５６】
図８は、パーソナルコンピュータ装置ＰＣ１〜ＰＣｎのユーザが印刷動作を指示する際に実行されるパーソナルコンピュータ装置ＰＣ１〜ＰＣｎのプリンタシステムＰＳの処理の一部の一例を示している。
【００５７】
ユーザが印刷動作を指示すると、プリンタシステムＰＳは、まず、図９に示すような印刷設定ダイアログボックスを表示する（処理１０１）。そして、このい印刷設定ダイアログボックスで、印刷方法として「ユーザ認証印刷」が指定されているかどうかを調べる（判断１０２）。
【００５８】
判断１０２の結果がＹＥＳになるときには、その印刷設定ダイアログボックスのユーザＩＤの入力欄ＲＲ１に文字列が入力されているかどうかを調べる（判断１０３）。判断１０３の結果がＮＯになるときには、オペレーティングシステムＯＳのユーザログイン管理部ＬＣから、当該ユーザのログインＩＤを取得し（処理１０４）、入力欄ＲＲ１にログインＩＤの内容をセットし（処理１０５）、次いで、オペレーティングシステムＯＳのユーザログイン管理部ＬＣから、当該ユーザのパスワードを取得し（処理１０６）、パスワードの入力欄ＲＲ２に取得したパスワードの内容をセットする（処理１０７）。
【００５９】
次いで、プリンタ設定（図１０参照）の「ログインＩＤのみ設定可能」の項目のチェックボックスＲＲ３にチェックがされているかどうかを調べる（判断１０８）。判断１０８の結果がＹＥＳになるときには、図１１に示すように、印刷設定ダイアログボックスのユーザＩＤおよびパスワードの表示項目および入力欄ＲＲ１，ＲＲ２の入力内容をグレイアウトして、入力欄ＲＲ１，ＲＲ２に入力されている文字列を変更不可状態に設定（図１１では、グレイアウト表示の部分に網掛けしている）する（処理１０９）。
【００６０】
次に、印刷設定ダイアログボックスの「ＯＫ」ボタンＢＢ１または「キャンセル」ボタンＢＢ２が押されたかどうかを調べ（判断１１０）、判断１１０の結果がＮＯになるときには、判断１０２へ戻る。
【００６１】
また、判断１１０の結果がＹＥＳになるときには、印刷設定ダイアログボックスを閉じて（処理１１１）、そのときにオペレーティングシステムＯＳから取得したログインＩＤとパスワードを、それぞれそのときのユーザのユーザＩＤとパスワードとして認証データ保存部ＮＤに保存する（処理１１２）。
【００６２】
そして、アプリケーションＡＰから印刷動作を実行する（処理１１３）。
【００６３】
また、判断１０８の結果がＮＯになるとき、または、判断１０３の結果がＹＥＳになるとき、または、判断１０２の結果がＮＯになるときには、判断１１０へ進み、それ以降の処理を実行する。
【００６４】
なお、印刷設定ダイアログボックスにおいて、ユーザＩＤ入力欄ＲＲ１の内容がキーボードで変更された場合はパスワードとの関連性がなくなっているため、パスワード入力欄ＲＲ２の入力内容をクリアし、ユーザへパスワードの再入力を促すようにする。
【００６５】
このようにして、本実施例では、オペレーティングシステムＯＳのサービス（ユーザログイン管理部ＬＣ）よりログインＩＤとパスワードを取得して、それぞれユーザーＩＤとパスワードの入力欄に自動的に入力しているので、ユーザ認証印刷モードの際のユーザの入力の手間を大幅に簡略化することができる。
【００６６】
また、ログインＩＤがキーボードで変更された場合はパスワードとの関連性がなくなっているため、パスワード入力欄をクリアすることでユーザーへパスワードの再入力を促すことができ、パスワード忘れを防ぐことができる。
【００６７】
また、ログインＩＤとパスワードをキーボードから変更できないようにすることで、一旦ログインしたパーソナルコンピュータ装置ＰＣからは一意のユーザＩＤで印刷が行われるため、ユーザーごとの印刷管理を可能にすることができる。
【００６８】
なお、上述した実施例では、画像形成装置としてネットワークプリンタ装置を適用した場合について説明したが、本発明は、それ以外の画像形成装置、例えば、スキャナ装置、プリンタ装置、複写機、ファクシミリ装置、および、複合機等についても同様にして適用することができる。
【図面の簡単な説明】
【００６９】
【図１】本発明の一実施例にかかる印刷システムを示したブロック図。
【図２】ネットワークプリンタ装置ＦＸの構成の一例を示したブロック図。
【図３】パーソナルコンピュータ装置ＰＣ（ＰＣ１〜ＰＣｎ）の構成例を示したブロック図。
【図４】パーソナルコンピュータ装置ＰＣ（ＰＣ１〜ＰＣｎ）における印刷制御系の構成例を示したブロック図。
【図５】ユーザ情報の一例を示した概略図。
【図６】ネットワークプリンタ装置ＦＸのプリンタアプリケーションの概略構成を示したブロック図。
【図７】印刷ジョブデータの記述例を示した概略図。
【図８】パーソナルコンピュータ装置ＰＣ１〜ＰＣｎのプリンタシステムＰＳの処理の一部の一例を示したフローチャート。
【図９】印刷設定ダイアログボックスの一例を示した概略図。
【図１０】プリンタ設定の一例を示した概略図。
【図１１】印刷設定ダイアログボックスの他の例を示した概略図。
【符号の説明】
【００７０】
ＦＸ  ネットワークプリンタ装置
ＰＣ，ＰＣ１〜ＰＣｎ  パーソナルコンピュータ装置
【図１】
2007109211.tif 000003
【図２】
2007109211.tif 000004
【図３】
2007109211.tif 000005
【図４】
2007109211.tif 000006
【図５】
2007109211.tif 000007
【図６】
2007109211.tif 000008
【図７】
2007109211.tif 000009
【図８】
2007109211.tif 000010
【図９】
2007109211.tif 000011
【図１０】
2007109211.tif 000012
【図１１】
2007109211.tif 000013